(57)【要約】【課題】  ユーザが移動するような場所での圏外位置を容易に把握することが可能な移動無線通信端末を提供する。【解決手段】  ＧＰＳ受信部２１は受信電界レベル検出部１４で基地局から受信する信号の電界レベルが低く、無線通信サービスを受けられないような場所において、ＧＰＳ信号をＧＰＳアンテナ２２にて受信し、受信したＧＰＳ信号の同期補足動作及びデータ復調動作等を行い、位置情報の算出を行う。記憶部１６はＧＰＳ受信部２１で算出された位置情報を記憶する。制御部１５は記憶部１６に位置情報が記憶され、受信電界レベル検出部１４で基地局から受信する信号の電界レベルが高く、無線通信サービスを受けられる場所において、記憶部１６に記憶された位置情報を、信号処理部１３と無線部１２と送受信共用アンテナ１１とを介して基地局側に送出する。【選択図】      図１                                                  
2005210241.tif 000002
【特許請求の範囲】
【請求項１】
無線通信で基地局を介して電話回線に接続されかつその接続先との間で情報を送受信する移動無線通信端末にその無線通信サービスを提供する移動無線通信システムであって、
前記移動無線通信端末が前記無線通信サービスのサービス圏外にいる時に現在位置の位置情報を測定する測定手段と、前記測定手段で測定された位置情報を保持する保持手段とを前記移動無線通信端末に有し、
前記移動無線通信端末が前記無線通信サービスのサービス圏内にいる時に前記保持手段に保持された位置情報を前記基地局側に通知することを特徴とする移動無線通信システム。
【請求項２】
前記移動無線通信端末が前記無線通信サービスのサービス圏内にある時に前記保持手段に保持された位置情報を前記基地局側に通知するように前記移動無線通信端末への指示を送出する無線回線制御局を含むことを特徴とする請求項１記載の移動無線通信システム。
【請求項３】
前記移動無線通信端末への指示に応答して前記移動無線通信端末から送出されてきた位置情報を記憶する圏外情報記憶手段を前記無線回線制御局に含むことを特徴とする請求項２記載の移動無線通信システム。
【請求項４】
前記測定手段は、ＧＰＳ（Ｇｌｏｂａｌ  Ｐｏｓｉｔｉｏｎｉｎｇ  Ｓｙｓｔｅｍ）を用いて前記位置情報を測定することを特徴とする請求項１から請求項３のいずれか記載の移動無線通信システム。
【請求項５】
無線通信で基地局を介して電話回線に接続されかつその接続先との間で情報を送受信するための無線通信サービスが提供される移動無線通信端末であって、
前記無線通信サービスのサービス圏外時に現在位置の位置情報を測定する測定手段と、前記測定手段で測定された位置情報を保持する保持手段とを有し、
前記無線通信サービスのサービス圏内時に前記保持手段に保持された位置情報を前記基地局側に通知することを特徴とする移動無線通信端末。
【請求項６】
自端末が前記無線通信サービスのサービス圏内にある時に無線回線制御局空の指示に応答して前記保持手段に保持された位置情報を前記基地局側に通知することを特徴とする請求項５記載の移動無線通信端末。
【請求項７】
前記測定手段は、ＧＰＳ（Ｇｌｏｂａｌ  Ｐｏｓｉｔｉｏｎｉｎｇ  Ｓｙｓｔｅｍ）を用いて前記位置情報を測定することを特徴とする請求項５または請求項６記載の移動無線通信端末。
【請求項８】
無線通信で基地局を介して電話回線に接続されかつその接続先との間で情報を送受信する移動無線通信端末にその無線通信サービスを提供する移動無線通信システムにおいて圏外位置情報を送信するための圏外位置情報送信方法であって、前記移動無線通信端末側に、前記移動無線通信端末が前記無線通信サービスのサービス圏外にいる時に現在位置の位置情報を測定するステップと、その測定された位置情報を保持手段に保持するステップとを有し、前記移動無線通信端末が前記無線通信サービスのサービス圏内にいる時に前記保持手段に保持された位置情報を前記基地局側に通知することを特徴とする圏外位置情報送信方法。
【請求項９】
前記移動無線通信端末が前記無線通信サービスのサービス圏内にある時に前記保持手段に保持された位置情報を前記基地局側に通知するように前記移動無線通信端末への指示を無線回線制御局から送出することを特徴とする請求項８記載の圏外位置情報送信方法。
【請求項１０】
前記移動無線通信端末への指示に応答して前記移動無線通信端末から送出されてきた位置情報を前記無線回線制御局の圏外情報記憶手段に記憶することを特徴とする請求項９記載の圏外位置情報送信方法。
【請求項１１】
前記位置情報を測定するステップは、ＧＰＳ（Ｇｌｏｂａｌ  Ｐｏｓｉｔｉｏｎｉｎｇ  Ｓｙｓｔｅｍ）を用いて前記位置情報を測定することを特徴とする請求項８から請求項１０のいずれか記載の圏外位置情報送信方法。
【請求項１２】
無線通信で基地局を介して電話回線に接続されかつその接続先との間で情報を送受信する移動無線通信端末にその無線通信サービスを提供する移動無線通信システムにおいて圏外位置情報を送信するための圏外位置情報送信方法のプログラムであって、前記移動無線通信端末のコンピュータに、前記移動無線通信端末が前記無線通信サービスのサービス圏外にいる時に現在位置の位置情報を測定する処理と、その測定された位置情報を保持手段に保持する処理とを実行させ、前記移動無線通信端末が前記無線通信サービスのサービス圏内にいる時に前記保持手段に保持された位置情報を前記基地局側に通知させるためのプログラム。
【発明の詳細な説明】
【技術分野】
【０００１】
本発明は移動無線通信システム、移動無線通信端末及びそれに用いる圏外位置情報送信方法並びにそのプログラムに関し、特に無線通信で基地局を介して電話回線に接続されて他の移動無線通信端末間や装置と情報を送受信する移動無線通信端末にそのサービスを提供する移動無線通信システムに関する。
【背景技術】
【０００２】
従来、この種の移動無線通信システムにおいては、通信を行うのに十分な受信電界レベルでない場所、つまりサービスを受けられないような場所（いわゆる圏外となる場所）があるため、それらの場所では圏外が移動無線通信端末に表示されている（例えば、特許文献１〜３参照）。
【０００３】
上記の移動無線通信システムでは、サービスを受けられないような場所（いわゆる圏外となる場所）を特定する場合、シミュレーションや試験車で実際の場所を走行してデータを取得する必要がある。
【０００４】
しかしながら、シミュレーションの場合には詳細な結果を出すことが困難であり、試験車で実際の場所を走行してデータを取得する場合には非常に手間がかかる。また、サービスを利用しているユーザが移動して使用する場所の圏外位置情報を取得することができるわけではないという問題がある。
【０００５】
移動無線通信システムにおいて移動無線通信サービスを提供する事業者は、受信電界レベルが低く、サービスを受けられないような場所の位置情報（圏外位置情報）をＧＰＳ（Ｇｌｏｂａｌ  Ｐｏｓｉｔｉｏｎｉｎｇ  Ｓｙｓｔｅｍ）を用いて測定し、圏外位置情報の測定データを基地局を介して容易にかつ効率的に取得することが望まれている。
【０００６】
また、実際使用するユーザが移動するような場所での圏外位置を把握すること、複数のユーザからデータを一度に採取すること、その取得した圏外位置情報データを基に基地局からの電波受信状態が悪い場所の品質改善判断を容易に行えることが望まれているが、従来の方法ではそれを容易に行うことが難しい。
【０００７】
【特許文献１】特開２００２−１８６０４５号公報
【特許文献２】特開２００３−１６１６２２号公報
【特許文献３】特開２００３−２８４１３７号公報
【発明の開示】
【発明が解決しようとする課題】
【０００８】
上述した従来の移動無線通信システムでは、通信を行うのに十分な受信電界レベルが得られない場所（圏外となる場所）のデータをシミュレーションにて取得する場合、詳細な結果を出すことが困難であるという問題がある。
【０００９】
また、従来の移動無線通信システムでは、試験車で実際の場所を走行して通信を行うのに十分な受信電界レベルが得られない場所（圏外となる場所）のデータを取得する場合、データを取得するのに非常に手間がかかるという問題がある。さらに、従来の移動無線通信システムでは、サービスを利用しているユーザが移動して使用する場所の圏外位置情報を取得することができるわけではないという問題がある。
【００１０】
そこで、本発明の目的は上記の問題点を解消し、ユーザが移動するような場所での圏外位置を容易に把握することができる移動無線通信システム、移動無線通信端末及びそれに用いる圏外位置情報送信方法並びにそのプログラムを提供することにある。
【課題を解決するための手段】
【００１１】
本発明による移動無線通信システムは、無線通信で基地局を介して電話回線に接続されかつその接続先との間で情報を送受信する移動無線通信端末にその無線通信サービスを提供する移動無線通信システムであって、
前記移動無線通信端末が前記無線通信サービスのサービス圏外にいる時に現在位置の位置情報を測定する測定手段と、前記測定手段で測定された位置情報を保持する保持手段とを前記移動無線通信端末に備え、
前記移動無線通信端末が前記無線通信サービスのサービス圏内にいる時に前記保持手段に保持された位置情報を前記基地局側に通知している。
【００１２】
本発明による移動無線通信端末は、無線通信で基地局を介して電話回線に接続されかつその接続先との間で情報を送受信するための無線通信サービスが提供される移動無線通信端末であって、
前記無線通信サービスのサービス圏外時に現在位置の位置情報を測定する測定手段と、前記測定手段で測定された位置情報を保持する保持手段とを備え、
前記無線通信サービスのサービス圏内時に前記保持手段に保持された位置情報を前記基地局側に通知している。
【００１３】
本発明による圏外位置情報送信方法は、無線通信で基地局を介して電話回線に接続されかつその接続先との間で情報を送受信する移動無線通信端末にその無線通信サービスを提供する移動無線通信システムにおいて圏外位置情報を送信するための圏外位置情報送信方法であって、前記移動無線通信端末側に、前記移動無線通信端末が前記無線通信サービスのサービス圏外にいる時に現在位置の位置情報を測定するステップと、その測定された位置情報を保持手段に保持するステップとを備え、前記移動無線通信端末が前記無線通信サービスのサービス圏内にいる時に前記保持手段に保持された位置情報を前記基地局側に通知している。
【００１４】
本発明による圏外位置情報送信方法のプログラムは、無線通信で基地局を介して電話回線に接続されかつその接続先との間で情報を送受信する移動無線通信端末にその無線通信サービスを提供する移動無線通信システムにおいて圏外位置情報を送信するための圏外位置情報送信方法のプログラムであって、前記移動無線通信端末のコンピュータに、前記移動無線通信端末が前記無線通信サービスのサービス圏外にいる時に現在位置の位置情報を測定する処理と、その測定された位置情報を保持手段に保持する処理とを実行させ、前記移動無線通信端末が前記無線通信サービスのサービス圏内にいる時に前記保持手段に保持された位置情報を前記基地局側に通知させている。
【００１５】
すなわち、本発明の移動無線通信システムは、無線通信で基地局を介して電話回線に接続され、他の移動無線端末間や装置と情報を送受信する移動無線端末にそのサービスを提供するシステムにおいて、通信を行うのに十分な受信電界レベルでない場所、つまりサービスを受けられないような場所（圏外となる場所）でＧＰＳ（Ｇｌｏｂａｌ  Ｐｏｓｉｔｉｏｎｉｎｇ  Ｓｙｓｔｅｍ）を用いて圏外位置情報を測定し、測定データを基地局を介して通信システムに送信することを特徴とする。
【００１６】
より具体的に説明すると、本発明の移動無線通信システムでは、移動無線通信端末の記憶部に、圏外時にＧＰＳ受信部で受信した位置情報を記憶するエリアを設け、サービス圏外時にＧＰＳを用いて位置情報を測定して保持する制御、サービス圏内に存在する時に通信システム制御側からの圏外位置情報送出要求に応じて記憶部に記憶された圏外位置情報測定データ（ＧＰＳで取得した圏外位置情報測定データ）を基地局を介して通信システムに送信している。
【００１７】
また、本発明の移動無線通信システムでは、無線回線制御局に、移動無線通信端末から送出された位置情報データを記憶する圏外情報記憶部を設け、無線制御局が移動無線通信端末に対してサービス圏内に存在する時に圏外位置情報送出要求を送出している。
【００１８】
これによって、本発明の移動無線通信システムでは、移動無線通信サービスを提供する事業者が、受信電界レベルが低くて移動無線通信サービスを受けられないような場所（圏外となる場所）で、無線移動通信端末のＧＰＳを用いて位置情報を測定することで、その圏外位置情報の測定データを基地局を介して容易にかつ効率的に取得することが可能となる。
【００１９】
また、本発明の移動無線通信システムでは、位置情報を測定して送信する機能を、移動無線通信サービスを利用しているユーザが使用する移動無線通信端末に設けることで、ユーザが移動するような場所での圏外位置を容易に把握することが可能となり、取得した圏外位置情報データを基に基地局からの電波受信状態が悪い圏外の場所の品質改善の判断を容易に行うことが可能となる。
【発明の効果】
【００２０】
本発明は、以下に述べるような構成及び動作とすることで、ユーザが移動するような場所での圏外位置を容易に把握することができるという効果が得られる。
【発明を実施するための最良の形態】
【００２１】
次に、本発明の実施例について図面を参照して説明する。図１は本発明の一実施例による移動無線通信端末の構成を示すブロック図である。図１において、移動無線通信端末１は送受信共用アンテナ１１と、無線部１２と、信号処理部１３と、受信電界レベル検出部１４と、制御部１５と、記憶部１６と、スピーカ１７と、マイク１８と、操作部１９と、表示部２０と、ＧＰＳ（Ｇｌｏｂａｌ  Ｐｏｓｉｔｉｏｎｉｎｇ  Ｓｙｓｔｅｍ）受信部２１と、ＧＰＳアンテナ２２とから構成されている。
【００２２】
送受信共用アンテナ１１は図示せぬ基地局との間でデータの送信及び受信を行う。無線部１２は移動通信システムの無線通信方式に応じた無線信号の送受信制御を行う。信号処理部１３は基地局との間で送受信するデータに対してディジタル信号の変復調処理を行う。
【００２３】
受信電界レベル検出部１４は信号処理部１３内に配設され、基地局から送信される無線信号から受信電界レベルを検出し、その検出結果を制御部１５へ報告する。
【００２４】
スピーカー１７は制御部１５において音声通信信号を復号化処理した電気信号を音声として出力する。マイク１８から入力された音声は制御部１５で符号化される。
【００２５】
操作部１９はキー入力部であり、電源のオンオフキー、音声通信時のダイヤル番号を入力するテンキー、音声着信通話開始・終話キー、データ通信時の入力キー等の移動通信無線端末１を操作するためのキー（図示せず）が設けられている。表示部２０はサービス圏外・圏内表示、受信電界レベル、日付、時刻、操作上のメッセージ等を表示する。
【００２６】
ＧＰＳ受信部２１は受信電界レベル検出部１４で基地局から受信する信号の電界レベルが低く、無線通信サービスを受けられないような場所（圏外となる場所）において、ＧＰＳ信号をＧＰＳアンテナ２２にて受信し、受信したＧＰＳ信号の同期補足動作及びデータ復調動作等を行い、位置情報の算出を行う。記憶部１６はＧＰＳ受信部２１で算出された位置情報、制御部１５で実行されるプログラムやデータ等を記憶する。
【００２７】
図２は本発明の一実施例による移動無線通信システムの構成を示すブロック図である。図２において、本発明の一実施例による移動無線通信システムは移動無線通信端末１−１，１−２と、基地局２−１，２−２と、無線回線制御局３と、交換局４とから構成されている。
【００２８】
基地局２−１，２−２はサービスエリア１０１，１０２内に存在している複数の移動無線通信端末１−１，１−２と無線通信を行う。無線回線制御局３は複数の基地局２−１，２−２と接続されかつ移動無線通信サービスの回線制御を行う通信システム制御部３１と、移動無線通信端末１−１，１−２から報告される圏外位置情報を記憶する圏外情報記憶部３２とから構成され、交換局４を介して公衆回線網に接続されている。
【００２９】
ポイントＡは移動無線通信サービスが利用可能な場所に存在する移動無線通信端末１−１の位置を示し、ポイントＢは無線移動通信システムサービスが利用不可能な場所（圏外となる場所）に存在する移動無線通信端末１−２の位置を示している。
【００３０】
尚、移動無線通信端末１−１，１−２は上記の図１に示す移動無線通信端末１と同様の構成となっている。また、上記の移動無線通信システムの基本構成は、広く事業者に知られているので、その詳細な構成や動作についての説明は省略する。
【００３１】
図３は図１の移動無線通信端末１の動作を示すフローチャートである。これら図１〜図３を参照して本発明の一実施例による移動無線通信システムの動作について説明する。尚、図３に示す処理は制御部１５が記憶部１６のプログラムを実行することで実現される。
【００３２】
移動無線通信端末１は受信電界レベル検出部１４で受信電界レベルの検出及び制御部１５への報告を行うと、制御部１５にて受信電界レベルとしきい値との比較判定を行う（図３ステップＳ１）。
【００３３】
移動無線通信端末１は上記の比較判定の結果、受信電界レベルがしきい値以下である場合、つまりポイントＢのようなサービス圏外であると判定されると、制御部１５がＧＰＳ受信部２１から位置情報を読出し（図３ステップＳ２）、読出した位置情報を記憶部１６に保持する（図３ステップＳ３）。
【００３４】
一方、移動無線通信端末１は上記の比較判定の結果、受信電界レベルがしきい値以上である場合、つまりポイントＡのようなサービス圏内であると判定されると、無線回線制御局３（移動無線通信システム側）から圏外位置情報の送出要求の有無を判定する（図３ステップＳ５）。
【００３５】
移動無線通信端末１は無線回線制御局３から圏外位置情報の送出要求がある場合、記憶部１６における位置情報の保持の有無の判定を行う（図３ステップＳ６）。移動無線通信端末１は記憶部１６に位置情報が保持されている場合、信号処理部１３でディジタル信号の変復調処理を行い、無線部１２にて無線通信方式に対応した無線信号の送受信制御を行い、送受信共用アンテナ１０１を介して基地局２−１（移動通信システム側）へ圏外位置情報を送出する（図３ステップＳ７）。
【００３６】
移動無線通信端末１は送出した圏外位置情報を記憶部１６から消去する（図３ステップＳ８）。移動無線端末１から送出された圏外位置情報は、基地局２−１を介して無線回線制御局３内の圏外位置情報記憶部３２に保持される。
【００３７】
また、移動無線通信端末１は無線回線制御局３から圏外位置情報の送出要求がないと判定した場合、処理終了でなければ（図３ステップＳ４）、ステップＳ１の処理に戻る。さらに、移動無線通信端末１は記憶部１６に位置情報が保持されていないと判定された場合、処理終了でなければ（図３ステップＳ４）、ステップＳ１の処理に戻る。
【００３８】
このように、本実施例では、受信電界レベルが低く、移動無線通信サービスを受けられないような場所（圏外となる場所）において、移動無線通信端末１のＧＰＳ受信部２１を用いて圏外位置情報を測定し、その測定データを基地局２−１，２−２を介して無線回線制御局３に送ることで、移動無線通信サービスを提供する事業者が圏外位置情報を容易にかつ効率的に取得することができる。
【００３９】
また、本実施例では、移動無線通信サービスを利用しているユーザが使用する移動無線端末１に、圏外位置情報を測定して移動通信システム側に送出する機能を設けることによって、ユーザが移動するような場所での圏外位置を把握することができる。よって、本実施例では、取得した圏外位置情報データを基に基地局２−１，２−２からの電波受信状態が悪い圏外となる場所の品質改善の判断を容易に行うことができる。
【図面の簡単な説明】
【００４０】
【図１】本発明の一実施例による移動無線通信端末の構成を示すブロック図である。
【図２】本発明の一実施例による移動無線通信システムの構成を示すブロック図である。
【図３】図１の移動無線通信端末の動作を示すフローチャートである。
【符号の説明】
【００４１】
１，１−１，１−２  移動無線通信端末
２−１，２−２  基地局
３  無線回線制御局
４  交換局
１１  送受信共用アンテナ
１２  無線部
１３  信号処理部
１４  受信電界レベル検出部
１５  制御部
１６  記憶部
１７  スピーカ
１８  マイク
１９  操作部
２０  表示部
２１  ＧＰＳ受信部
２２  ＧＰＳアンテナ
３１  通信システム制御部
３２  圏外情報記憶部
１０１，１０２  サービスエリア
【図１】
2005210241.tif 000003
【図２】
2005210241.tif 000004
【図３】
2005210241.tif 000005